(57)【要約】【課題】  プリント回路基板に実装する放熱板を簡単な構成で、安価に得ることができるようにした基板装置およびテレビジョンを得ることを目的とする。【解決手段】  プリント回路基板５１と、プリント回路基板５１に実装される半導体部品６と、半導体部品６からの熱を放熱する放熱板７とを備えた基板装置５において、放熱板７は、放熱板本体７１と、取付脚７２とからなり、放熱板本体７１は、放熱面７１ａを有し、放熱面７１ａには、下孔ｐを設け、下孔ｐを中心に突出成型により取付脚７２を固着するための装着部７１ｂを設けるとともに、取付脚７２は、放熱面７１ａに当接される当接部７２ａと、当接部７２ａに穿設され、装着部７１ｂに嵌挿される嵌挿孔７２ｂと、プリント回路基板５１に設けられた取付孔５２に嵌装される脚部７３ｃとからなり、嵌挿孔７２ｂを装着部７１ｂに嵌挿し、装着部７１ｂの先端ａをカシメ、取付脚７２を放熱板本体７１に固着する。【選択図】図５
2009147280.tif 000002
【特許請求の範囲】
【請求項１】
回路パタンが形成されたプリント回路基板と、このプリント回路基板に実装される発熱を伴う半導体部品と、この半導体部品からの熱を放熱する放熱板とを備えた基板装置において、
前記放熱板は、放熱板本体と、この放熱板本体を前記プリント回路基板に実装するための取付脚とからなり、前記放熱板本体は、平面部分からなる放熱面を有し、この放熱面には、下孔を設け、この下孔を中心に突出成型により前記取付脚を固着するための装着部を設けるとともに、前記取付脚は、前記放熱面に当接される当接部と、この当接部に穿設され、前記装着部に嵌挿される嵌挿孔と、前記プリント回路基板に設けられた取付孔に嵌装される脚部とからなり、前記嵌挿孔を前記装着部に嵌挿し、前記装着部の先端をカシメ、前記取付脚を前記放熱板本体に固着したことを特徴とする基板装置。
【請求項２】
前記放熱板本体は、断面形状がＬ字状に形成され、当該放熱板本体は、前記プリント回路基板に前記放熱面が垂直となるように実装されていることを特徴とする請求項１に記載の基板装置。
【請求項３】
前記放熱板本体は、アルミニューム板からなり、前記装着部は、バーリング加工によりにより形成するとともに、前記取付脚は、金属被覆鋼板により形成したことを特徴とする請求項１または請求項２に記載の基板装置。
【請求項４】
前記取付脚の厚みは、前記放熱板本体の厚みをｔとしたとき、０．２ｔ〜０．６ｔに設定したことを特徴とする請求項１乃至請求項３のいずれかに記載の基板装置。
【請求項５】
前記取付脚の脚部には、前記プリント回路基板側に向かって一部が舌状に突出した押し出し部を形成し、この押し出し部を、前記プリント回路基板に形成された前記取付孔に嵌装したことを特徴とする請求項１乃至請求項４のいずれかに記載の基板装置。
【請求項６】
前記放熱面には、前記発熱を伴う半導体部品が面接触するように実装されていることを特徴とする請求項１または請求項２に記載の基板装置。
【請求項７】
アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示手段と、前記テレビジョン受信手段からの出力信号に基づいて音声を発する音声手段と、電源部と、全体的な制御を統括して行う制御手段と、これらテレビジョン受信手段、画像表示手段、制御手段および電源部の一部または複数をプリント回路基板に搭載した基板装置と、これらテレビジョン受信手段、画像表示手段、制御手段、電源部および基板装置を収納するキャビネットと、を備え、前記基板装置は、回路パタンが形成されたプリント回路基板と、このプリント回路基板に実装される発熱を伴う半導体部品と、この半導体部品からの熱を放熱する放熱板と有するテレビジョンにおいて、
前記放熱板は、放熱板本体と、この放熱板本体を前記プリント回路基板に実装するための取付脚とからなり、前記放熱板本体は、平面部分からなる放熱面を有し、この放熱面には、下孔を設け、この下孔を中心に突出成型により前記取付脚を固着するための装着部を設けるとともに、前記取付脚は、前記放熱面に当接される当接部と、この当接部に穿設され、前記装着部に挿入される嵌挿孔と、前記プリント回路基板に設けられた取付孔に嵌挿される脚部とからなり、前記嵌挿孔を前記装着部に嵌挿し、前記装着部の先端をカシメ、前記取付脚を前記放熱板本体に固着したことを特徴とするテレビジョン。
【請求項８】
前記放熱板本体は、断面形状がＬ字状に形成され、当該放熱板本体は、前記プリント回路基板に前記放熱面が垂直となるように実装されていることを特徴とする請求項７に記載の基板装置。
【請求項９】
前記放熱板本体は、アルミニューム板からなり、前記装着部は、バーリング加工によりにより形成するとともに、前記取付脚は、金属被覆鋼板により形成し、前記取付脚の厚みは、前記放熱板本体の厚みをｔとしたとき、０．２ｔ〜０．６ｔに設定したことを特徴とする請求項７または請求項８に記載のテレビジョン。
【請求項１０】
前記取付脚の脚部には、前記プリント回路基板側に向かって一部が舌状に突出した押し出し部を形成し、この押し出し部を、前記プリント回路基板に形成された前記取付孔に嵌装したことを特徴とする請求項７乃至請求項９のいずれかに記載のテレビジョン。
【請求項１１】
前記放熱面には、前記発熱を伴う半導体部品が面接触するように実装されていることを特徴とする請求項７または請求項８に記載のテレビジョン。
【請求項１２】
前記発熱を伴う半導体部品は、電界効果トランジスタであることを特徴とする請求項７、請求項８または請求項１１のいずれかに記載のテレビジョン。
【発明の詳細な説明】
【技術分野】
【０００１】
本発明は、例えば、プリント回路基板に発熱を伴う半導体部品と、放熱板を実装した基板装置およびテレビジョンに関し、特に、プリント回路基板に実装する放熱板を簡単な構成で、かつ、安価に得ることができるようにしたものである。
【背景技術】
【０００２】
例えば、液晶型のテレビジョンなどの電子機器には、プリント回路基板にスイッチング素子や増幅素子として機能する、例えば、ＭＯＳＦＥＴ（ｍｅｔａｌ−ｏｘｉｄｅ−ｓｅｍｉｃｏｎｄｕｃｔｏｒ  ｆｉｅｌｄ−ｅｆｆｅｃｔ  ｔｒａｎｓｉｓｔｏｒ）などの電界効果トランジスタ（ｆｉｅｌｄ−ｅｆｆｅｃｔ  ｔｒａｎｓｉｓｔｏｒ：ＦＥＴ）などの半導体部品が実装されている。ところが、これら半導体部品は、熱に弱いものが多く、また、近年のこの種テレビジョンの大型化などに伴い、より効果的に冷却することが強く要望される傾向にある。
【０００３】
従来のこの基板装置における部品の放熱構造としては、例えば、Ｌ字状の放熱板の水平部に設けたバーリング孔の周囲に爪を設けるとともに、水平部の垂直部と反対側の端部に舌部を設け、爪および舌部をプリント回路基板のホールに嵌合させ、バーリング孔に抵抗のリード線を挿入し、該部および舌部を半田付けして、放熱板をプリント回路基板に実装したものがある(例えば、特許文献１参照）。
【０００４】
また、複数枚の放熱板を、Ｖ字型の金型を用いてカシメ、Ｖ字型に押し出されたカシメ部分により、放熱板同士を摩擦接合したものがある（特許文献２参照）。また、放熱板に半抜き加工により、小凹凸面を設けたものがある（特許文献３参照）。また、放熱板の表面および裏面にそれぞれ多数の凹部および凸部を形成したものがある（特許文献４参照）。更には、放熱板のバースバーと接する面とは逆の面に、凸状または凹状の熱拡散促進部を形成したものがある(特許文献５参照）。
【特許文献１】実開平１−９７５０１号公報
【特許文献２】特開２００７−１５０２６８号公報
【特許文献３】実開昭５８−１８４８９１号公報
【特許文献４】実開平１−１６９０８８号公報
【特許文献５】特開２００６−９３４０４号公報
【発明の開示】
【発明が解決しようとする課題】
【０００５】
しかし、前述の特許文献１記載の構成では、放熱板をプリント回路基板に実装するための脚部として、水平部のバーリング孔の周囲に設けた爪とは別に、水平部の端部に舌部が必要である。この結果、放熱板を製作する際、平板部材の舌部の左右部分が屑となり、定尺の平板部材から効率よく材料取りすることができず、材料ロスが生じ、部品価格が高くなる。また、バーリング孔にリード線を挿入するようにしているので、抵抗には適用可能であるが、発熱を伴う半導体部品には、適用することがでない。また、放熱板として放熱性および経済性を考慮してアルミニューム板を用いた場合には、半田付けが極めて困難であるなどといった問題があった。
【０００６】
また、特許文献２記載の構成では、放熱板同士を接合することはできたとしても、放熱板に当該放熱板をプリント回路基板に実装するための取付脚をカシメ接合することはできないといった問題があった。更には、特許文献３記載乃至特許文献５記載の構成では、何れも放熱板の放熱面積の増加を図り、放熱効率の向上は望めても、放熱板に当該放熱板をプリント回路基板に実装するための取付脚をカシメ接合することはできないといった問題があった。
【０００７】
本発明は、上述した問題を解決するためになされたものであり、プリント回路基板に実装する放熱板を簡単な構成で、かつ、安価に得ることができるようにした基板装置およびテレビジョンを提供することを目的とする。
【課題を解決するための手段】
【０００８】
かかる目的を達成するため、本発明では、回路パタンが形成されたプリント回路基板と、このプリント回路基板に実装される発熱を伴う半導体部品と、この半導体部品からの熱を放熱する放熱板とを備えた基板装置において、放熱板は、放熱板本体と、この放熱板本体をプリント回路基板に実装するための取付脚とからなり、放熱板本体は、平面部分からなる放熱面を有し、この放熱面には、下孔を設け、この下孔を中心に突出成型により取付脚を固着するための装着部を設けるとともに、取付脚は、放熱面に当接される当接部と、この当接部に穿設され、装着部に嵌挿される嵌挿孔と、プリント回路基板に設けられた取付孔に嵌装される脚部とからなり、嵌挿孔を装着部に嵌挿し、装着部の先端をカシメ、取付脚を放熱板本体に固着する。
【０００９】
この構成によれば、放熱板は、放熱板本体と、取付脚とから構成されているので、放熱板本体および取付脚をそれぞれ個別に定尺の平板部材から形成すれば良く、効率よく材料取りすることができ、材料ロスが削減する。しかも、取付脚は、放熱面に下孔を中心に突出成型により設けられた装着部に、嵌挿孔を嵌挿し、装着部の先端をカシメ、取付脚を放熱板本体に一体的に固着すればよいので、その構成は、極めて簡単で、しかも、放熱板本体と取付脚と一体的に構成するために、特別な部材を必要としない。この結果、この種放熱板のコストダウンが図れる。
【００１０】
また、本発明においては、放熱板本体は、断面形状がＬ字状に形成され、当該放熱板本体は、プリント回路基板に放熱面が垂直となるように実装する。この構成によれば、放熱板本体が、断面形状がＬ字状に形成され、放熱面が垂直となるようにプリント回路基板に実装されているので、放熱板は、機械的に極めて安定した状態でプリント回路基板に実装され、しかも、充分な放熱効果を発揮することができ、長期間に亘って使用することができ、都合がよい。
【００１１】
また、本発明においては、放熱板本体は、アルミニューム板からなり、装着部は、バーリング加工によりにより形成するとともに、取付脚は、金属被覆鋼板により形成する。この構成によれば、放熱板本体を放熱効率が優れ、しかも、安価なアルミニューム板を用いてバーリング加工により装着部を形成することがで、より放熱効果の向上、作業性および経済性を図ることができる。また、取付脚は、金属被覆鋼板を用いているので、半田付けが容易となり、作業効率の向上が図れ、都合がよい。
【００１２】
また、本発明においては、取付脚の厚みは、放熱板本体の厚みをｔとしたとき、０．２ｔ〜０．６ｔに設定する。この構成によれば、取付脚の厚みを必要最小限の厚みにできるので、より経済性および軽量化を図ることができ、都合がよい。
【００１３】
また、本発明においては、取付脚の脚部には、プリント回路基板側に向かって一部が舌状に突出した押し出し部を形成し、この押し出し部を、プリント回路基板に形成された取付孔に嵌装する。この構成によれば、放熱板をプリント回路基板に実装する工程において、プリント回路基板の取付孔に脚部を嵌装した際、押し出し部があることにより、取付孔から取付脚が抜けぬくくなり、押し出し部が放熱板の抜け止めおよび仮固定の機能を奏し、半田付け作業が行い易いとともに、半田が乗りやすいという効果を奏し、都合がよい。
【００１４】
また、本発明においては、放熱面には、発熱を伴う半導体部品を面接触するように実装する。この構成によれば、半導体部品からの発熱は、放熱面に効果的に伝達され、より効果的に放熱され、半導体部品の温度上昇を効果的に抑制できるので、都合がよい。
【００１５】
また、本発明においては、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示手段と、テレビジョン受信手段からの出力信号に基づいて音声を発する音声手段と、電源部と、全体的な制御を統括して行う制御手段と、これらテレビジョン受信手段、画像表示手段、制御手段および電源部の一部または複数をプリント回路基板に搭載した基板装置と、これらテレビジョン受信手段、画像表示手段、制御手段、電源部および基板装置を収納するキャビネットと、を備え、基板装置は、回路パタンが形成されたプリント回路基板と、このプリント回路基板に実装される発熱を伴う半導体部品と、この半導体部品からの熱を放熱する放熱板と有するテレビジョンにおいて、放熱板は、放熱板本体と、この放熱板本体をプリント回路基板に実装するための取付脚とからなり、放熱板本体は、平面部分からなる放熱面を有し、この放熱面には、下孔を設け、この下孔を中心に突出成型により取付脚を固着するための装着部を設けるとともに、取付脚は、放熱面に当接される当接部と、この当接部に穿設され、装着部に嵌挿される嵌挿孔と、プリント回路基板に設けられた取付孔に嵌装される脚部とからなり、嵌挿孔を装着部に嵌挿し、装着部の先端をカシメ、取付脚を前記放熱板本体に固着する。
【００１６】
この構成によれば、放熱板は、放熱板本体と、取付脚とから構成されているので、放熱板本体および取付脚をそれぞれ個別に定尺の平板部材から形成すれば良く、効率よく材料取りすることができ、材料ロスが削減する。しかも、取付脚は、放熱面に下孔を中心に突出成型により設けられた装着部に、嵌挿孔を嵌挿し、装着部の先端をカシメ、取付脚を放熱板本体に一体的に固着すればよいので、その構成は、極めて簡単で、しかも、放熱板本体と取付脚と一体的に構成するために、特別な部材を必要としない。この結果、この種テレビジョンのコストダウンが図れ、都合がよい。
【００１７】
また、本発明においては、放熱板本体は、断面形状がＬ字状に形成され、当該放熱板本体は、プリント回路基板に放熱面が垂直となるように実装する。この構成によれば、放熱板本体が、断面形状がＬ字状に形成され、放熱面が垂直となるようにプリント回路基板に実装されているので、放熱板は、機械的に極めて安定した状態でプリント回路基板に実装され、しかも、充分な放熱効果を発揮することができ、この種テレビジョンを長期間に亘って使用することができ、都合がよい。
【００１８】
また、本発明においては、放熱板本体は、アルミニューム板からなり、装着部は、バーリング加工によりにより形成するとともに、取付脚は、金属被覆鋼板により形成し、取付脚の厚みは、放熱板本体の厚みをｔとしたとき、０．２ｔ〜０．６ｔに設定する。
【００１９】
この構成によれば、放熱板本体を放熱効率が優れ、しかも、安価なアルミニューム板を用いてバーリング加工により装着部を形成することがで、より放熱効果の向上、作業性および経済性を図ることができる。また、取付脚は、金属被覆鋼板を用いているので、半田付けが容易となり、作業効率の向上が図れ、都合がよい。更には、取付脚の厚みを必要最小限の厚みにできるので、より経済性および軽量化を図ることができ、都合がよい。
【００２０】
また、本発明においては、取付脚の脚部には、プリント回路基板側に向かって一部が舌状に突出した押し出し部を形成し、この押し出し部を、プリント回路基板に形成された取付孔に嵌装する。この構成によれば、放熱板をプリント回路基板に実装する工程において、プリント回路基板の取付孔に脚部を嵌装した際、押し出し部があることにより、取付孔から取付脚が抜けぬくくなり、押し出し部が放熱板の抜け止めおよび仮固定の機能を奏し、半田付け作業が行い易いとともに、半田が乗りやすいという効果を奏し、都合がよい。
【００２１】
また、本発明においては、放熱面には、前記発熱を伴う半導体部品を面接触するように実装する。この構成によれば、半導体部品からの熱は、放熱面に効果的に伝達され、より効果的に放熱され、半導体部品の温度上昇を効果的に抑制できるので、この種テレビジョンを長期間に亘って使用することができ、都合がよい。
【００２２】
更に、本発明においては、発熱を伴う半導体部品が、電界効果トランジスタである。この構成によれば、電界効果トランジスタをより効果的に冷却することができるので、この種テレビジョンを長期間に亘って使用することができ、都合がよい。
【発明の効果】
【００２３】
本発明によれば、プリント回路基板に実装する放熱板を簡単な構成で、かつ、安価に得ることができるようにした基板装置およびテレビジョンを得ることができる。
【発明を実施するための最良の形態】
【００２４】
以下、本発明の一実施形態を図１乃至図１２に基づいて説明する。図１は、本発明の一実施形態に係る基板装置を有する液晶型のテレビジョンの概略構成を示すブロック図、図２は、図１に示す液晶型のテレビジョンの概略構成を示す正面図である。図３は、図２に示すテレビジョンの要部を示す正面図、図４は、図３の上面図である。図５は、図３に示す放熱板を拡大して示す正面図、図６は、図５の上面図である。図７は、図５に示す放熱板本体の正面図、図８は、図７の上面図である。図９は、図５に示す取付脚の正面図、図１０は、図９の側面図である。図１１は、放熱板本体に装着部を形成するためのバーリング加工を説明する説明図である。図１２および図１３は、図５に示す放熱板本体と取付脚との関係を説明するため要部を拡大して示す断面図で、図１２は、放熱板本体の装着部に取付脚を嵌装した状態を示し、図１３は、装着部の先端をカシメた状態を示す。
【００２５】
図１に示すように、例えば、地上デジタルのテレビ放送が受信できる液晶型のテレビジョン１は、テレビジョン受信手段１１と、このテレビジョン受信手段１１からの出力信号に基づいて画像情報を表示する、例えば、液晶表示装置からなる画像表示手段２と、テレビジョン受信手段１１からの出力信号に基づいて音声を発するスピーカなどからなる音声手段３と、装置の全体的な制御を統括して行う制御手段１２と、各部に電力を供給する電源部１３と、操作パネル１４と、これらテレビジョン受信手段１１、画像表示手段２、音声手段３、制御手段１２および電源部１３などを収納するキャビネット４とから構成されている。これらテレビジョン受信手段１１、画像表示手段２のパネル駆動回路２２およびインバータ回路２３、制御手段１２並びに電源部１３などは、後述するように、一枚または複数枚のプリント回路基板に搭載され、基板装置５（図４参照）を構成している。
【００２６】
液晶型のテレビジョン１は、例えば、図２に示す厚みの薄い略矩形状のキャビネット４により構成されている。キャビネット４は、例えば、スタンド機構１７などにより略鉛直（垂直）に正立され、その正面側に矩形状の開口４１が設けられている。開口４１には、画像情報を表示する表示手段である、画像表示手段２の表示面である液晶パネル２１が嵌め込まれ、この液晶パネル２１において映像などの画像を表示することが可能となっている。また、例えば、画像表示手段２の下方には、音声手段３が配設され、本実施形態では、キャビネット４が、音声手段３のキャビネットを兼ねている。
【００２７】
テレビジョン受信手段１１は、アンテナＡを介して受信した地上デジタルの放送信号の中から、ユーザにより設定入力されたチャンネルの放送信号の選局・復調を行って、映像信号・音声信号を出力する。このテレビジョン受信手段１１は、例えば、地上デジタルの放送信号を選択的に受信する地上デジタルチューナ１１１と、地上デジタルの放送信号を復調する地上デジタル復調部１１２と、復調されたストリーム信号から映像データ、音響データ、番組情報や文字情報や制御データなどを含む付加情報をデコードするＴＳ（Ｔｒａｎｓｐｏｒｔ  Ｓｔｒｅａｍ）デコーダー１１３と、映像データを復号して映像信号を出力するビデオデコーダー１１４と、音声データを復号して音声信号を出力するオーディオデコーダー１１５とから構成されている。
【００２８】
画像表示手段２である液晶表示装置は、液晶パネル２１と、パネル駆動回路２２と、バックライト装置２３と、インバータ回路２４とから構成されている。パネル駆動回路２２は、ビデオデコーダー１１４から入力されたＲＧＢ信号に基づき、液晶パネル２１の画素数（横縦比・ｍ：ｎ）に合わせたスケーリング処理を行い、液晶パネル２１に表示する１画面分の画像データを生成する。そして、この生成された画像データを液晶パネル２１に出力する。バックライト装置２３は、液晶パネル２１の背面に設置され、蛍光ランプなどからなる光源部を備え、液晶パネル２１の背面から光を照射する。インバータ回路２４は、例えば、整流器や昇圧用の変圧器などを備え、電源部１３から供給された直流電圧を、所望の高周波数の交流電圧に変換するとともに、昇圧し、当該交流電圧をバックライト装置２３の光源部に給電し、光源部を点灯させる。
【００２９】
制御手段１２は、装置の全体的な制御を統括して行うマイクロコンピュータ（マイクロコントローラ）から構成されている。この制御手段１２には、作業用のメモリ空間を提供するＲＡＭ（Ｒａｎｄｏｍ  Ａｃｃｅｓｓ  Ｍｅｍｏｒｙ）１５と、制御プログラムや制御データが格納される不揮発性メモリ１６などが接続されている。操作パネル１４には、複数の操作ボタンやリモコン受信部１４１が設けられ外部からの指示操作を受け付けるように構成されている。これにより、制御手段１２は、操作パネル１４およびリモコン受信部１４１を介してリモコンＲから入力される種々のコマンド信号に応じて各部に制御信号を発して所定の動作を行わせる。なお、ＲＡＭ１５や不揮発性メモリ１６はマイクロコンピュータと一体的に集積された構成としても良いのは、勿論である。また、地上デジタルの放送信号には、制御データとして様々な情報が含まれており、その中には、放送局名など放送局を識別する情報、放送局の系列が表わされた系列ＩＤ（“ａｆｆｉｌｉａｔｉｏｎ  ｉｄ”と記述される）、１ｃｈ〜１２ｃｈの選局番号のうち放送局により割り当て用として推奨され選局番号を示すリモコンキーＩＤ（“ｒｅｍｏｔｅ  ｃｏｎｔｒｏｌ  ｋｅｙ  ｉｄ"と記述される）などがある。そして、これらのデータは、ＴＳデコーダー１１３においてデコードされて制御手段１２へ送られるようになっている。
【００３０】
かかる構成により、ユーザは、例えば、キャビネット４に設けられた操作パネル１４或いはリモコンＲを操作し、所望のチャンネルに合わせることにより、画像表示手段２である液晶表示装置の液晶パネル２１に表示される画像を観ることができ、同時に音声手段３から音声を聴くことができる。
【００３１】
而して、本発明に従い、発熱を伴う半導体部品、例えば、他の半導体部品に比較して発熱量が多い、即ち、被冷却部品である電界効果トランジスタ（ＦＥＴ）などを有する電源部１３を搭載した基板装置５は、例えば、図３および図４に示すように、液晶パネル２１およびバックライト装置２３などからなる液晶モジュール２０を内包する筐体２００の背面に装着されている。筐体２００の背面の四隅近傍には、例えば、支柱２５が設けられ、この支柱２５に基板装置５のプリント回路基板５１がネジなどを用いて取付けられている。また、図示しないが、このプリント回路基板５１には、必要に応じて、前述したテレビジョン受信手段１１や制御手段１２が搭載されている。
【００３２】
プリント回路基板５１には、発熱を伴う半導体部品である電界効果トランジスタ６と、この電界効果トランジスタ６により発熱する熱を放熱する放熱板７と、電源トランス１３１、更には、図示しない半導体部品や回路素子が実装されている。また、図示しないが、プリント回路基板５１には、所望の回路パタンが形成されている。
【００３３】
放熱板７は、例えば、アルミニューム板などからなり、図５および図６に示すように、断面形状がＬ字状に形成された放熱板本体７１と、この放熱板本体７１をプリント回路基板５１に実装するための、例えば、金属被覆鋼板などからなる取付脚７２とから形成されている。金属被覆鋼板としては、例えば、ブリキ板の両面にすずメッキを施した、ＳＰＴＥ（電気すずメッキ処理をしたもの）、ＳＰＴＨ（溶融すずメッキ処理をしたもの）などを用いることができる。
【００３４】
放熱板本体７１は、図７および図８に示すように、平面部分からなる放熱面７１ａを有し、この放熱面７１ａには、突出成型、例えば、バーリング加工により取付脚７２を固着するための突出した装着部７１ｂが形成されている。このバーリング加工は、例えば、図９に示すように、放熱面７１ａに下孔ｐを穿ち、この下孔ｐを中心に円筒状にストレッチフランジングして突出形成する加工を言い、本発明では、この突出した部分を装着部７１ｂとして利用するものである。この装着部７１ｂの高さｈは、例えば、放熱板本体７１の厚みｔが１ｍｍの場合、下孔ｐの直径Φを１．８ｍｍ〜２．４ｍｍにすれば、１ｍｍ〜１．２ｍｍに形成することができる。
【００３５】
また、取付脚７２は、図１０および図１１に示すように、放熱面７１ａに当接される当接部７２ａと、この当接部７２ａに穿設され、装着部７１ｂに嵌挿される嵌挿孔７２ｂと、プリント回路基板５１に設けられた取付孔５２に嵌装される脚部７２ｃとから形成されている。この取付脚７２の厚みは、放熱板本体７１の厚みｔとしたとき、０．２ｔ〜０．６ｔに設定すると、前述の突出成型により形成された装着部７１ｂに、嵌挿孔７２ｂを嵌挿し、装着部７１ｂの先端をカシメ、取付脚７２を放熱板本体７１に容易に固着することができる。即ち、放熱板本体７１の厚みが１ｍｍの場合、０．２ｍｍ〜０．６ｍｍにすれば、取付脚７２の０．１ｍｍ〜０．２ｍｍのバリなどを考慮しても、充分に後述するカシメによる固着が可能である。また、取付脚７２の脚部７２ｃには、プリント回路基板５１側に向かって一部が舌状に突出した押し出し部７２ｄがプレス加工などにより形成されている。
【００３６】
取付脚７２は、当該取付脚７２の嵌挿孔７２ｂを、図１２に示すように、放熱板本体７１の装着部７１ｂに嵌挿し、装着部７１ｂの先端ａを、図１３に示すようにカシメ、取付脚７２を放熱板本体７１に固着して、放熱板７を形成している。そして、この放熱板７を、プリント回路基板５１に放熱面７１ａが垂直となるように実装し、この放熱板７の放熱面７１ａに面接触するように、前述の電界効果トランジスタ６が実装されている。この場合、放熱板本体７１に、例えば、電界効果トランジスタを、面接触するように実装するために、貫通孔或いはネジ孔などの孔７１ｃを設けておけば、都合が良い。また、図示する例では、この孔７１ｃは、前述した突出成型時に同時に突出成型してネジ孔とし、有効ネジ部が長くなるようにしたものある。このようにすれば、有効ネジ部を形成するのに、別途作業工程を増すことなく、都合がよい。
【００３７】
以上の構成による本実施形態によれば、放熱板７は、放熱板本体７１と、取付脚７２とから構成されているので、放熱板本体７１および取付脚７２をそれぞれ個別に定尺の平板部材から形成すれば良く、効率よく材料取りすることができ、材料ロスを削減することができる。しかも、取付脚７２は、放熱面７１ａに突出成型により設けられた装着部７１ｂに、嵌挿孔７２ｂを嵌挿し、装着部７１ｂの先端ａをカシメ、取付脚７２を放熱板本体７１に一体的に固着すればよいので、その構成は、極めて簡単で、しかも、放熱板本体７１と取付脚７２と一体的に構成するために、特別な部材を必要としない。この結果、この種放熱板７のコストダウンが図れる。また、この種テレビジョンのコストダウンが図れ、都合がよい。
【００３８】
また、本実施形態によれば、放熱板本体７１が、断面形状がＬ字状に形成され、放熱面７１ａが垂直となるようにプリント回路基板５１に実装されているので、放熱板７は、機械的に極めて安定した状態でプリント回路基板５１に実装され、しかも、充分な放熱効果を発揮することができ、長期間に亘って使用することができ、都合がよい。
【００３９】
また、本実施形態によれば、放熱板本体７１を放熱効率が優れ、しかも、安価なアルミニューム板を用いてバーリング加工により装着部７１ｂを形成することができ、より放熱効果の向上、作業性および経済性を図ることができる。また、取付脚７２は、金属被覆鋼板を用いているので、半田付けが容易となり、作業効率の向上が図れ、都合がよい。
【００４０】
また、本実施形態によれば、取付脚７２の厚みを、放熱板本体７１の厚みをｔとしたとき、０．２ｔ〜０．６ｔに設定しているので、取付脚７２の厚みを必要最小限の厚みにできる。この結果、より経済性および軽量化を図ることができ、都合がよい。
【００４１】
また、本実施形態によれば、放熱板７をプリント回路基板５１に実装する工程において、プリント回路基板５１の取付孔５２に脚部７２を嵌装した際、押し出し部７２ｄがあることにより、取付孔５２から取付脚７２が抜けぬくくなり、押し出し部７２ｄが放熱板７の抜け止めおよび仮固定の機能を奏し、半田付け作業が行い易いとともに、半田が乗りやすいという効果を奏し、都合がよい。
【００４２】
更に、本実施形態によれば、放熱面７１ａには、発熱を伴う半導体部品６を面接触するように実装しているので、半導体部品６からの熱は、放熱面７１ａに効果的に伝達され、より効果的に放熱され、半導体部品６の温度上昇を効果的に抑制でき、都合がよい。
【００４３】
なお、上述した各実施形態は、本発明の好適な実施例であるが、本発明はこれに限定されるものではなく、本発明の要旨を逸脱しない範囲において、種々変形実施可能である。
【００４４】
例えば、上述した実施形態では、基板装置５を、液晶型のテレビジョン１に用いた場合について詳述したが、他の薄型のテレビジョンや、他の電子機器の基板装置に本発明を適用してもよいのは、勿論である。
【図面の簡単な説明】
【００４５】
【図１】本発明の一実施形態に係る基板装置を有する液晶型のテレビジョンの概略構成を示すブロック図である。
【図２】図１に示す液晶型のテレビジョンの概略構成を示す正面図である。
【図３】図２に示すテレビジョンの要部を示す正面図である。
【図４】図３の上面図である。
【図５】図３に示す放熱板を拡大して示す正面図である。
【図６】図５の上面図である。
【図７】図５に示す放熱板本体の正面図である。
【図８】図７の上面図である。
【図９】放熱板本体に装着部を形成するためのバーリング加工を説明する説明図である。
【図１０】図５に示す取付脚の正面図である。
【図１１】図１０の側面図である。
【図１２】図５に示す放熱板本体と取付脚との関係を説明するため要部を拡大して示す断面図で、放熱板本体の装着部に取付脚を嵌装した状態を示す。
【図１３】図５に示す放熱板本体と取付脚との関係を説明するため要部を拡大して示す断面図で、装着部の先端をカシメた状態を示す。
【符号の説明】
【００４６】
１      液晶型のテレビジョン
１１    テレビジョン受信手段
１２    制御手段
１３    電源部
２      画像表示手段
３      音声手段
４      キャビネット
５      基板装置
５１    プリント回路基板
５２    取付孔
６      半導体部品
７      放熱板
７１    放熱板本体
７１ａ  放熱面
７１ｂ  装着部
７２    取付脚
７２ａ  当接面
７２ｂ  嵌挿孔
７２ｃ  脚部
７２ｄ  押し出し部
Ａ      アンテナ
ａ      先端
ｐ      下孔
【図１】
2009147280.tif 000003
【図２】
2009147280.tif 000004
【図３】
2009147280.tif 000005
【図４】
2009147280.tif 000006
【図５】
2009147280.tif 000007
【図６】
2009147280.tif 000008
【図７】
2009147280.tif 000009
【図８】
2009147280.tif 000010
【図９】
2009147280.tif 000011
【図１０】
2009147280.tif 000012
【図１１】
2009147280.tif 000013
【図１２】
2009147280.tif 000014
【図１３】
2009147280.tif 000015